(57)【要約】【課　題】冷凍機の負荷が大きく変動する場合にも、効率よく対応することができる冷凍機駆動システム、空調システムおよびその制御システムを提供する。【解決手段】冷凍機駆動システムは、圧縮式冷凍機（１）と、この圧縮式冷凍機を回転駆動するとともに、発電機能を具備する発電・電動機（２）と、この発電・電動機から前記圧縮式冷凍機への駆動力を接続または切断する第１クラッチ（３）と、前記発電・電動機を回転駆動するエンジン（８）と、このエンジンから前記発電・電動機への駆動力を接続または切断する第２クラッチ（９）とを備えている。【選択図】　図１
2004028477.tif 000002
【特許請求の範囲】
【請求項１】
圧縮式冷凍機と、
この圧縮式冷凍機を回転駆動するとともに、発電機能を具備する発電・電動機と、
この発電・電動機から前記圧縮式冷凍機への駆動力を接続または切断する第１クラッチと、
前記発電・電動機を回転駆動するエンジンと、
このエンジンから前記発電・電動機への駆動力を接続または切断する第２クラッチとを備えていることを特徴としている冷凍機駆動システム。
【請求項２】
前記エンジンの排ガスにより作動する吸収式冷凍機をさらに備えていることを特徴とする請求項１記載の冷凍機駆動システム。
【請求項３】
圧縮式冷凍機と、この圧縮式冷凍機を回転駆動するとともに発電機能を具備する発電・電動機と、この発電・電動機から前記圧縮式冷凍機への駆動力を接続または切断する第１クラッチと、前記発電・電動機を回転駆動するエンジンと、このエンジンから前記発電・電動機への駆動力を接続または切断する第２クラッチと、前記発電・電動機、第１クラッチ、エンジンおよび第２クラッチを制御する制御装置とを備え、
前記制御装置が、制御モードとして、第１クラッチを切断して圧縮式冷凍機を停止させるとともに、第２クラッチを接続しエンジンを稼働して発電・電動機で発電する冷凍機停止モードと、第１クラッチを接続し発電・電動機を稼働して圧縮式冷凍機を駆動するとともに、第２クラッチを切断する冷凍機低負荷モードと、第１クラッチおよび第２クラッチを接続しエンジンを稼働して圧縮式冷凍機を駆動する冷凍機高負荷モードとを有し、この各制御モードを選択的に作動させることを特徴としている冷凍機駆動制御システム。
【請求項４】
前記エンジンの排ガスにより作動する吸収式冷凍機をさらに備えていることを特徴とする請求項３記載の冷凍機駆動制御システム。
【請求項５】
前記制御装置が、制御モードとして、第１クラッチおよび第２クラッチを接続しエンジンおよび発電・電動機を稼働して圧縮式冷凍機を駆動させる冷凍機最大負荷モードをさらに有していることを特徴とする請求項３または４記載の冷凍機駆動制御システム。
【請求項６】
圧縮式冷凍機と、この圧縮式冷凍機を回転駆動するとともに発電機能を具備する発電・電動機と、この発電・電動機から前記圧縮式冷凍機への駆動力を接続または切断する第１クラッチと、前記発電・電動機を回転駆動するエンジンと、このエンジンから前記発電・電動機への駆動力を接続または切断する第２クラッチとを備えた冷凍機駆動システムの制御方法であって、
制御モードとして、第１クラッチを切断して圧縮式冷凍機を停止させるとともに、第２クラッチを接続しエンジンを稼働して発電・電動機で発電する冷凍機停止モードと、第１クラッチを接続し発電・電動機を稼働して圧縮式冷凍機を駆動するとともに、第２クラッチを切断する冷凍機低負荷モードと、第１クラッチおよび第２クラッチを接続しエンジンを稼働して圧縮式冷凍機を駆動する冷凍機高負荷モードとを有し、この各制御モードを選択的に実行することを特徴としている冷凍機駆動制御方法。
【請求項７】
前記冷凍機駆動システムが前記エンジンの排ガスにより作動する吸収式冷凍機をさらに備えていることを特徴とする請求項６記載の冷凍機駆動制御方法。
【請求項８】
制御モードとして、第１クラッチおよび第２クラッチを接続しエンジンおよび発電・電動機を稼働して圧縮式冷凍機を駆動する冷凍機最大負荷モードをさらに有していることを特徴とする請求項６または７記載の冷凍機駆動制御方法。
【請求項９】
圧縮式冷凍機と、この圧縮式冷凍機を回転駆動するとともに発電機能を具備する発電・電動機と、この発電・電動機から前記圧縮式冷凍機への駆動力を接続または切断する第１クラッチと、前記発電・電動機を回転駆動するエンジンと、このエンジンから前記発電・電動機への駆動力を接続または切断する第２クラッチと、前記圧縮式冷凍機で冷房される複数の部屋と、圧縮式冷凍機からの冷気の流れを切り換える風路切換装置と、前記発電・電動機、第１クラッチ、エンジン、第２クラッチおよび風路切換装置を制御する制御装置とを備えている空調システムであって、
前記制御装置が、制御モードとして、第１クラッチを切断して圧縮式冷凍機を停止させるとともに、第２クラッチを接続しエンジンを稼働して発電・電動機で発電する冷房停止モードと、第１クラッチを接続し発電・電動機を稼働して圧縮式冷凍機を駆動するとともに第２クラッチを切断しかつ圧縮式冷凍機からの冷気を一部の部屋に供給するように前記風路切換装置を切り換えて一部の部屋を冷房する部分冷房モードと、第１クラッチおよび第２クラッチを接続しエンジンを稼働して圧縮式冷凍機を駆動するとともに圧縮式冷凍機からの冷気を略全室に供給するように前記風路切換装置を切り換えて略全室を冷房する全室冷房モードとを有していることを特徴としている空調システム。
【請求項１０】
前記エンジンの排ガスにより作動する吸収式冷凍機をさらに備えていることを特徴とする請求項９記載の空調システム。
【請求項１１】
前記制御装置が、制御モードとして、第１クラッチおよび第２クラッチを接続しエンジンおよび発電・電動機を稼働して圧縮式冷凍機を駆動するとともに圧縮式冷凍機からの冷気を略全室に供給するように前記風路切換装置を切り換える強力冷房モードをさらに有していることを特徴とする請求項９または１０記載の空調システム。
【発明の詳細な説明】
【０００１】
【発明の属する技術分野】
本発明は、空調システムなどに用いられる冷凍機駆動システムおよびその制御に関する。
【０００２】
【従来の技術】
従来、空調システムなどに使用される冷凍機駆動システムとして、ターボ式やスクリュー式などの圧縮式冷凍機をガスタービンエンジンで回転駆動するものが知られている。また、ガスタービンエンジンではなく、電動機で圧縮式冷凍機を回転駆動するものも知られている。
【０００３】
【発明が解決しようとする課題】
ところで、空調システムで冷房する部屋には、南側の部屋と、北側の部屋とがあり、南側の部屋は北側の部屋と比較して温かくなる。そのため、季節的に見ると、たとえば、１２月から３月までの冬場では全室冷房が不要で、４月から５月まで及び１０月から１１月までは南側の部屋のみが冷房され、また、６月から９月までは全室が冷房されることになる。したがって、冷凍機の負荷は季節により大きく変動する。その結果、回転数を定格よりも大きく低下させることが難しいガスタービンエンジンでは、効率よく対応することができなくなる。また、ガスタービンエンジンに代えて電動機を用いると、ランニングコストが増大する。
【０００４】
本発明は、以上のような課題を解決するためのもので、冷凍機の負荷が大きく変動する場合にも、効率よく対応することができる冷凍機駆動システム、空調システムおよびその制御システムを提供することを目的としている。
【０００５】
【課題を解決するための手段】
本発明の冷凍機駆動システムは、圧縮式冷凍機（１）と、この圧縮式冷凍機を回転駆動するとともに、発電機能を具備する発電・電動機（２）と、この発電・電動機から前記圧縮式冷凍機への駆動力を接続または切断する第１クラッチ（３）と、前記発電・電動機を回転駆動するエンジン（８）と、このエンジンから前記発電・電動機への駆動力を接続または切断する第２クラッチ（９）とを備えている。
【０００６】
また、前記エンジンの排ガスにより作動する吸収式冷凍機（１１）をさらに備えていることがある。
【０００７】
本発明の冷凍機駆動制御システムは、圧縮式冷凍機と、この圧縮式冷凍機を回転駆動するとともに発電機能を具備する発電・電動機と、この発電・電動機から前記圧縮式冷凍機への駆動力を接続または切断する第１クラッチと、前記発電・電動機を回転駆動するエンジンと、このエンジンから前記発電・電動機への駆動力を接続または切断する第２クラッチと、前記発電・電動機、第１クラッチ、エンジンおよび第２クラッチを制御する制御装置（２６）とを備え、前記制御装置が、制御モードとして、第１クラッチを切断して圧縮式冷凍機を停止させるとともに、第２クラッチを接続しエンジンを稼働して発電・電動機で発電する冷凍機停止モードと、第１クラッチを接続し発電・電動機を稼働して圧縮式冷凍機を駆動するとともに、第２クラッチを切断する冷凍機低負荷モードと、第１クラッチおよび第２クラッチを接続しエンジンを稼働して圧縮式冷凍機を駆動する冷凍機高負荷モードとを有し、この各制御モードを選択的に作動させる。
【０００８】
また、前記エンジンの排ガスにより作動する吸収式冷凍機をさらに備えていることがある。
【０００９】
さらに、前記制御装置が、制御モードとして、第１クラッチおよび第２クラッチを接続しエンジンおよび発電・電動機を稼働して圧縮式冷凍機を駆動させる冷凍機最大負荷モードをさらに有していることがある。
【００１０】
本発明の冷凍機駆動システムの制御方法は、圧縮式冷凍機と、この圧縮式冷凍機を回転駆動するとともに発電機能を具備する発電・電動機と、この発電・電動機から前記圧縮式冷凍機への駆動力を接続または切断する第１クラッチと、前記発電・電動機を回転駆動するエンジンと、このエンジンから前記発電・電動機への駆動力を接続または切断する第２クラッチとを備えた冷凍機駆動システムの制御方法であって、制御モードとして、第１クラッチを切断して圧縮式冷凍機を停止させるとともに、第２クラッチを接続しエンジンを稼働して発電・電動機で発電する冷凍機停止モードと、第１クラッチを接続し発電・電動機を稼働して圧縮式冷凍機を駆動するとともに、第２クラッチを切断する冷凍機低負荷モードと、第１クラッチおよび第２クラッチを接続しエンジンを稼働して圧縮式冷凍機を駆動する冷凍機高負荷モードとを有し、この各制御モードを選択的に実行する。
【００１１】
また、前記冷凍機駆動システムが前記エンジンの排ガスにより作動する吸収式冷凍機をさらに備えていることがある。
【００１２】
さらに、制御モードとして、第１クラッチおよび第２クラッチを接続しエンジンおよび発電・電動機を稼働して圧縮式冷凍機を駆動する冷凍機最大負荷モードをさらに有していることがある。
【００１３】
本発明の空調システムは、圧縮式冷凍機と、この圧縮式冷凍機を回転駆動するとともに発電機能を具備する発電・電動機と、この発電・電動機から前記圧縮式冷凍機への駆動力を接続または切断する第１クラッチと、前記発電・電動機を回転駆動するエンジンと、このエンジンから前記発電・電動機への駆動力を接続または切断する第２クラッチと、前記圧縮式冷凍機で冷房される複数の部屋（１７，１８）と、圧縮式冷凍機からの冷気の流れを切り換える風路切換装置（２１）と、前記発電・電動機、第１クラッチ、エンジン、第２クラッチおよび風路切換装置を制御する制御装置とを備えている空調システムであって、前記制御装置が、制御モードとして、第１クラッチを切断して圧縮式冷凍機を停止させるとともに、第２クラッチを接続しエンジンを稼働して発電・電動機で発電する冷房停止モードと、第１クラッチを接続し発電・電動機を稼働して圧縮式冷凍機を駆動するとともに第２クラッチを切断しかつ圧縮式冷凍機からの冷気を一部の部屋に供給するように前記風路切換装置を切り換えて一部の部屋を冷房する部分冷房モードと、第１クラッチおよび第２クラッチを接続しエンジンを稼働して圧縮式冷凍機を駆動するとともに圧縮式冷凍機からの冷気を略全室に供給するように前記風路切換装置を切り換えて略全室を冷房する全室冷房モードとを有している。
【００１４】
また、前記エンジンの排ガスにより作動する吸収式冷凍機をさらに備えているがある。
【００１５】
さらに、前記制御装置が、制御モードとして、第１クラッチおよび第２クラッチを接続しエンジンおよび発電・電動機を稼働して圧縮式冷凍機を駆動するとともに圧縮式冷凍機からの冷気を略全室に供給するように前記風路切換装置を切り換える強力冷房モードをさらに有していることがある。
【００１６】
【発明の実施の形態】
次に、本発明における空調システムの実施の一形態を図１ないし図３を用いて説明する。図１は本発明にかかる空調システムの説明図で、（ａ）が冷凍機の駆動系のブロック図、（ｂ）が風路の概略図である。図２は制御装置の入出力の概略図である。図３はフローチャートである。
【００１７】
圧縮式冷凍機であるターボ式冷凍機１の回転軸に、発電・電動機２の回転軸が電磁クラッチや流体継手などの第１クラッチ３を介して連結されている。発電・電動機２は、発電兼用の電動機であり、電源６から給電されたり、また、発電時には電源６に電気を供給したりすることができる。そして、発電・電動機２の回転軸の他端には、ガスタービンエンジン８の回転軸が電磁クラッチや流体継手などの第２クラッチ９を介して連結されている。ガスタービンエンジン８には燃料として都市ガスなどの燃料ガスが供給されるとともに、ガスタービンエンジン８の排ガスは吸収式冷凍機１１に供給される。吸収式冷凍機１１からの排気ガスは脱硝装置１２でＮＯｘを除去した後に外気に放出される。
【００１８】
ターボ式冷凍機１および吸収式冷凍機１１で空気を冷却している。そして、この冷却された空気は、送風機１６により各部屋１７，１８に送風されるとともに、各部屋１７，１８の空気はターボ式冷凍機１および吸収式冷凍機１１に戻っており、空気は循環している。この空気の流れる風路は、風路切換装置２１により切り換えられ、冷却された空気を各部屋１７，１８に選択的に供給することができ、南側の部屋１７にのみ供給したり、南側の部屋１７とともに北側の部屋１８にも供給したりすることができる。
【００１９】
この様に構成されている空調システムには制御装置２６が設けられており、この制御装置２６はマイコンなどで構成されている。そして、図２に図示するように、この制御装置２６には、種々の電気部品が接続されているが、本発明に関係する電気部品としては、入力側に、モード設定装置２７、第１室温計２８および第２室温計２９などが接続され、一方、出力側に、第１クラッチ３、発電・電動機２、第２クラッチ９、ガスタービンエンジン８、吸収式冷凍機１１および風路切換装置２１などが接続されている。モード設定装置２７は、空調システムのモードを設定するもので、冷房停止モードである冷凍機停止モード、南側の部屋１７のみを冷房する部分冷房モードである冷凍機低負荷モードや北側の部屋１８も冷房する全室冷房モードである冷凍機高負荷モードを設定することができる。そして、第１室温計２８は南側の部屋１７の室温を検出する温度計で、第２室温計２９は北側の部屋１８の室温を検出する温度計である。また、制御装置２６にはタイマが内蔵されており、経過時間などを計測することができるとともに、制御用プログラムが記憶されている。さらに、制御装置２６には予め種々の設定値が設定される。
【００２０】
次に、この様に構成されている実施の形態の空調システムの作動の概略を説明する。
初期状態として、ターボ式冷凍機１、発電・電動機２、ガスタービンエンジン８、吸収式冷凍機１１、脱硝装置１２および送風機１６は停止しているものとする。また、第１クラッチ３および第２クラッチ９はＯＦＦすなわち切断されているものとする。この様な状態で、モード設定装置２７で、冷凍機停止モードを選択すると、図３のフローチャートに示すように、ステップ１において、制御装置２６は制御モードが冷凍機停止モードであると判断し、ステップ２に行く。ステップ２において、制御装置２６は第１クラッチ３をＯＦＦにする。すなわち、ＯＦＦの場合にはＯＦＦを維持し、ＯＮの場合にはＯＦＦに切り換え、発電・電動機２からターボ式冷凍機１への駆動力を切断する。
【００２１】
そして、ステップ３に行き、制御装置２６は第２クラッチ９をＯＮにする。すなわち、ＯＦＦの場合にはＯＮに切り換え、ＯＮの場合にはＯＮを維持し、ガスタービンエンジン８から発電・電動機２への駆動力を接続する。ついで、ステップ４に行き、制御装置２６はガスタービンエンジン８を稼働させる。すると、ガスタービンエンジン８により発電・電動機２が回転駆動され、発電・電動機２が発電し、電源６に電気を供給する。ガスタービンエンジン８からの排ガスは脱硝装置１２を通って排気される。その際に、ガスタービンエンジン８からの排ガスを吸収式冷凍機１１に通して、吸収式冷凍機１１を稼働することも可能であるし、吸収式冷凍機１１を稼働しないで、そのまま排気することも可能である。そして、ステップ１に戻り、モード設定装置２７で選択される制御モードが変更されるのを待機する。
【００２２】
また、モード設定装置２７で冷凍機低負荷モードを選択すると、ステップ１において、制御装置２６は制御モードが冷凍機低負荷モードであると判断し、ステップ５に行く。ステップ５において、制御装置２６は第２クラッチ９をＯＦＦにする。すなわち、ＯＦＦの場合にはＯＦＦを維持し、ＯＮの場合にはＯＦＦに切り換え、ガスタービンエンジン８から発電・電動機２への駆動力を切断する。
【００２３】
そして、ステップ６に行き、制御装置２６は第１クラッチ３をＯＮにする。すなわち、ＯＦＦの場合にはＯＮに切り換え、ＯＮの場合にはＯＮを維持し、発電・電動機２からターボ式冷凍機１への駆動力を接続する。ついで、ステップ７に行き、制御装置２６は発電・電動機２に電源６から電気を供給し、発電・電動機２を稼働させて、ターボ式冷凍機１を回転駆動する。また、制御装置２６は送風機１６を稼働させるとともに、風路切換装置２１を南側の部屋１７のみへの通風に切り換える。すると、ターボ式冷凍機１は冷気を生成し、この冷気が送風機１６により南側の部屋１７に供給され、南側の部屋１７を冷房する。この南側の部屋１７の室温は第１室温計２８で検出されており、制御装置２６は第１室温計２８の検出値が設定温度となる様に、送風機１６や発電・電動機２を制御する。この冷凍機低負荷モードの際には、ガスタービンエンジン８および吸収式冷凍機１１は停止している。そして、ステップ１に戻り、モード設定装置２７で選択される制御モードが変更されるのを待機する。
【００２４】
また、モード設定装置２７で冷凍機高負荷モードを選択すると、ステップ１において、制御装置２６は制御モードが冷凍機高負荷モードであると判断し、ステップ８に行く。ステップ８において、制御装置２６は第１クラッチ３をＯＮにする。すなわち、ＯＦＦの場合にはＯＮに切り換え、ＯＮの場合にはＯＮを維持し、発電・電動機２からターボ式冷凍機１への駆動力を接続する。
【００２５】
そして、ステップ９に行き、制御装置２６はガスタービンエンジン８を稼働させる。なお、ガスタービンエンジン８を稼働させる前には、第２クラッチ９はＯＦＦにしておく。ついで、ステップ１０に行き、制御装置２６は第２クラッチ９をＯＮにし、ガスタービンエンジン８から発電・電動機２への駆動力を接続する。すると、ガスタービンエンジン８により発電・電動機２が回転駆動され、この発電・電動機２の回転が第１クラッチ３を介してターボ式冷凍機１に伝達され、ターボ式冷凍機１が稼働する。また、ステップ１１において、ガスタービンエンジン８からの排ガスは吸収式冷凍機１１に供給され、吸収式冷凍機１１が稼働する。そして、制御装置２６は送風機１６を稼働させるとともに、風路切換装置２１を南側の部屋１７および北側の部屋１８の全室への通風に切り換える。ターボ式冷凍機１および吸収式冷凍機１１の冷気は、送風機１６により各部屋１７，１８に供給され、南側の部屋１７および北側の部屋１８を冷房する。各部屋１７，１８の室温は第１室温計２８および第２室温計２９で検出されており、制御装置２６は第１室温計２８の検出値および第２室温計２９の検出値が各々、各設定温度となる様に、送風機１６、風路切換装置２１や発電・電動機２を制御する。そして、ステップ１に戻り、モード設定装置２７で選択される制御モードが変更されるのを待機する。
【００２６】
前述のように、実施の形態では、ターボ式冷凍機１を発電・電動機２またはガスタービンエンジン８で駆動しており、ターボ式冷凍機１の出力を効率よく大きく変化させることができる。また、冷凍機の停止時には、ガスタービンエンジン８で発電・電動機２を駆動して発電しており、冷凍機の停止期間が長い場合にも、ガスタービンエンジン８および発電・電動機２を効率よく利用することができる。
【００２７】
したがって、１２月から３月までの冬場では、冷房は不要であるが、制御モードを冷凍機停止モードにして、ガスタービンエンジン８で発電・電動機２を駆動して発電して、冷凍機駆動システムを有効利用することができる。特に、ガスタービンエンジン８の稼働効率を向上させることができる。４月から５月まで及び１０月から１１月までは、制御モードを冷凍機低負荷モードにして、出力が過大なガスタービンエンジン８を稼働することなく、発電・電動機２によりターボ式冷凍機１を駆動して、エネルギーロスを少なくして、南側の部屋のみを冷房する。６月から９月までは、制御モードを冷凍機高負荷モードにして、ガスタービンエンジン８でターボ式冷凍機１および吸収式冷凍機１１を駆動して、低いランニングコストで全室を冷房することができる。
【００２８】
また、前述の様にして、制御装置は、（１）制御モードを判定する手段、（２）第１クラッチを切断して圧縮式冷凍機を停止させるとともに、第２クラッチを接続しエンジンを稼働して発電・電動機で発電する冷凍機停止モードを実行する手段、（３）第１クラッチを接続し発電・電動機を稼働して圧縮式冷凍機を駆動するとともに、第２クラッチを切断する冷凍機低負荷モードを実行する手段、（４）第１クラッチおよび第２クラッチを接続しエンジンを稼働して圧縮式冷凍機を駆動する冷凍機高負荷モードを実行する手段、（５）上記各実行手段を選択的に行う手段などを具備している。
この様に、制御装置は、上記手段以外にも、実行される各作用に対応して各々作用を実行する手段を具備している。また、全ての手段を具備している必要は必ずしもない。
【００２９】
さらに、変形例として、冷凍機高負荷モードにおいて、電源６から発電・電動機２に給電して発電・電動機２を稼働し、冷凍機最大負荷モードとすることも可能である。この様に、発電・電動機２でガスタービンエンジン８を加勢することができる様にすると、特に夏季におけるガスタービンエンジン８の出力低下を防止するための吸気冷却装置の設置を省略することができる。
また、冷凍機最大負荷モードにおいて、余力がある場合には、発電・電動機２が発電して、発電・電動機２から電源６に電気を供給することも可能である。
【００３０】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態では、冷凍機駆動システムは、空調システムに用いられているが他の用途に使用することも可能である。
【００３１】
（２）脱硝装置１２などは設けることも可能であるし、設けないことも可能である。また、吸収式冷凍機１１は必ずしも設ける必要はない。
（３）フローチャートのフローの順番は、適宜変更可能である。
【００３２】
（４）冷房される部屋の数は適宜変更可能である。
（５）制御モードはモード設定装置２７で切り換えられているが、制御装置２６が適宜判断して変更することも可能である。
【００３３】
（６）南側の部屋１７を冷房する場合と、全室を冷房する場合とで、冷凍機低負荷モードと冷凍機高負荷モードとに切り換えているが、他の方法で切り換えることも可能である。たとえば、ターボ式冷凍機１の負荷を検出して、負荷が設定値よりも大きくなると、冷凍機低負荷モードから冷凍機高負荷モードに切り換えることも可能である。また、風路切換装置２１の切り換え方法や風路の構造などは適宜変更可能である。
（７）空調システムの風路にヒータなどの暖房設備を配備することも可能である。
（８）制御モードは、上記の３個に限らず、他の制御モードを付加することも可能である。ただし、少なくとも、上記３個の制御モードは存在する。
【００３４】
（９）第１クラッチ３および第２クラッチ９は、駆動力の伝達を適宜接続または切断することができるならば、電磁クラッチや流体継手以外の構造でも可能である。また、発電・電動機２からターボ式冷凍機１への動力伝達構造や、ガスタービンエンジン８から発電・電動機２への動力伝達構造は適宜選択可能である。
（１０）エンジンは燃料を供給されて稼働するものであれば、ガスタービンエンジン８である必要は必ずしもない。ただし、ガスタービンエンジンであることが好ましい。
（１１）圧縮式冷凍機は、ターボ式冷凍機やスクリュー式冷凍機など適宜選択可能である。
（１２）発電・電動機は、発電機能および電動機能を有していれば、その構造や形式は適宜変更可能である。たとえば、「発電機」と「電動機」とを物理的に結合したタイプや、発電機（または電動機）の回転数を同期回転以下で使用するかまたは以上で使用するかで発電機あるいは電動機として使用するタイプなどがある。
（１３）制御装置２６には、ガスタービンエンジン８と発電・電動機２との相互の負荷分担機能を設けることも可能である。
【００３５】
【発明の効果】
本発明によれば、高負荷時には第１クラッチおよび第２クラッチを接続してエンジンで圧縮式冷凍機を駆動することができ、ランニングコストを低くすることができる。一方、低負荷時には、第１クラッチを接続するとともに第２クラッチを切断することにより圧縮式冷凍機を発電・電動機で駆動することができ、低い負荷に対応する極力最適な駆動力で圧縮式冷凍機を駆動することができる。しかも、冷凍機を稼働していない際には、第１クラッチを切断するとともに第２クラッチを接続することによりエンジンで発電・電動機を駆動して発電することができ、設備の稼働率を向上させることができる。
【００３６】
また、エンジンの排ガスで吸収式冷凍機を稼働しており、排ガスを有効利用することができる。
【００３７】
さらに、エンジンおよび発電・電動機の両者の駆動力により、冷凍機を駆動することにより、冷凍機の負荷がより高い場合にも対応することができる。
【００３８】
そして、一部の部屋を冷房する場合と、全室を冷房する場合とで、制御モードを変更しており、極力最適な状態で、冷房をすることができる。このため、たとえば、初夏に、南側の部屋のみを冷房する場合と、真夏に全室を冷房する場合とで、冷凍機を極力最適な状態で稼働させることができる。
【図面の簡単な説明】
【図１】図１は本発明にかかる空調システムの説明図で、（ａ）が冷凍機の駆動系のブロック図、（ｂ）が風路の概略図である。
【図２】図２は制御装置の入出力の概略図である。
【図３】図３はフローチャートである。
【符号の説明】
１　ターボ式冷凍機（圧縮式冷凍機）
２　発電・電動機
３　第１クラッチ
８　ガスタービンエンジン
９　第２クラッチ
１１　吸収式冷凍機
１７，１８　部屋
２１　風路切換装置
２６　制御装置
【図１】
2004028477.tif 000003
【図２】
2004028477.tif 000004
【図３】
2004028477.tif 000005